【事件の表示】
　特許第６４１６２６６号発明「非平坦積層体構造、非平坦積層体構造を備えた吸収性物品」の特許異議申立事件について、次のとおり決定する。
【結　論】
　特許第６４１６２６６号の特許請求の範囲を訂正請求書に添付された訂正特許請求の範囲のとおり、訂正後の請求項〔１−１２〕について訂正することを認める。
　特許第６４１６２６６号の請求項１〜６、８〜１２に係る特許を維持する。
【理　由】
１．手続の経緯
　特許第６４１６２６６号の請求項１〜１２に係る特許についての出願は、平成２６年９月１２日（パリ条約による優先権主張外国庁受理　２０１３年９月２０日、米国（ＵＳ））を国際出願日とする出願であって、平成３０年１０月１２日にその特許権の設定登録（特許掲載公報発行日：平成３０年１０月３１日）がされた。
　その後、請求項１〜６及び８〜１２に係る特許について、平成３１年２月２８日に特許異議申立人小園祐子（以下、「申立人」という。）により、特許異議の申立てがなされ、令和１年６月２４日付けで取消理由が通知され、その指定期間内である令和１年９月１８日に特許権者による意見書及び訂正請求書（以下、当該訂正請求書による訂正の請求を「本件訂正請求」という。）が提出され、同年１０月９日付けで申立人に対し期間を指定して、訂正の請求があった旨の通知（特許法第１２０条の５第５項）がされ、その指定期間内である同年１１月８日に申立人より、意見書（以下、「申立人意見書」という。）が提出されたものである。
  
２．訂正の適否についての判断
（１）訂正の内容
　本件訂正請求による訂正の内容は以下のとおりである。（訂正箇所に下線を付す。）
ア．訂正事項１
　特許請求の範囲の請求項１において、
「非平坦積層体構造であって、」とあるのを、
「
吸収性物品のベルトであって、内側層と外側層とを含むベルトを形成する
　請求項１を引用する請求項２〜１２も同様に訂正する。
　
イ．訂正事項２
　特許請求の範囲の請求項１において、
「前記第１の開口が、繊維の材料が熱的に溶融され又は変形されて、かつ絡み合わされた端部によって定められる、積層体構造。」とあるのを、
「前記第１の開口が、繊維の材料が熱的に溶融され又は変形されて、かつ絡み合わされた端部によって定められ
、
　前記第１層が、前記ベルトの前記外側層を形成し、
　前記皺が、機械方向および横断方向に不連続である隆起を有す
　請求項１を引用する請求項２〜１２も同様に訂正する。
　
（２）訂正の適否
ア．一群の請求項について
　訂正前の請求項１〜１２について、請求項２〜１２は直接的又は間接的に請求項１を引用するから、訂正前の請求項１〜１２は、特許法第１２０条の５第４項に規定する一群の請求項であって、上記訂正事項１および２による訂正は、当該一群の請求項について請求されたものである。
　
イ．訂正の目的について
　上記訂正事項１による訂正は、訂正前の請求項１における「非平坦積層体構造」が、「吸収性物品のベルトであって、内側層と外側層とを含むベルトを形成する」ものであることを限定して特定するものであり、同請求項１を引用する請求項２〜１２についても同様である。
　また、上記訂正事項２による訂正は、訂正前の請求項１における「積層体構造」の「第１層」及び「皺」が、それぞれ、「前記ベルトの前記外側層を形成」ものであること及び「機械方向および横断方向に不連続、である隆起を有する」ことを、各々、限定して特定するものであり、同請求項１を引用する請求項２〜１２についても同様である。
　ゆえに、上記訂正事項１および２による訂正は、特許法第１２０条の５第２項ただし書第１号に規定する特許請求の範囲の減縮を目的とするものである。
　
ウ．新規事項の有無について
　訂正事項１による訂正は、願書に添付した明細書（以下、「本件特許明細書」という。）の段落【００１９】の「図３〜５を参照すると、ベルト２０は不織ウェブ２４、２５の層から形成され得、それはベルトの内側と外側の層をそれぞれ形成する。・・・」及び「【００２７】の「ベルト構造体の製造中、弾性ストランド２６などの弾性部材が、それらがベルト構造体に組み込まれる際、所望量で長手方向に引っ張られることができる。ベルトの次の弛緩の際、弾性ストランド２６などの弾性部材が、それらの非歪み長さへ収縮する。これにより、不織材料の層２４、２５の層が集まり、弾性ストランド２６の長さに対して通常横断方向の隆起２８及び谷２９を有するひだ又は皺２７を形成する。」との記載に基づくものである。
　訂正事項２による訂正のうち、訂正前の請求項１において「機械方向を有する第１の不織ウェブにより形成された第１層であって、該第１の不織ウェブが機械方向バイアスを有するポリマ繊維により形成されて、かつ貫通する第１の開口の第１のパターンを有している」と特定されていた「第１層」について、「前記第１層が、前記ベルトの前記外側層を形成し」とする訂正は、本件特許明細書の段落【００３５】の「上述のようにベルトの不織ウェブ層２４、２５の１つ又は両方を形成する上述の方法で孔を形成した不織ウェブを用いることで、魅力的かつ興味深い効果を提供できる。ベルトが、例えば着用中、動いて引っ張られる場合、それを囲む開口及び材料は、ウェブ層の収縮により誘導された皺と相互作用する。複雑さ、深さ及び追加のテクスチャの視覚的印象を提供しながら、層の開口は開いて、閉じて、形状を変えて、対応する他の層にシフトする。様々な形状及び対応する機械方向の角度を備えた開口は、ベルト構造が収縮するとき、開口の端部に沿ってｚ方向突起及び／又は隆起をもたらすことができる。例えば図７Ｃを参照すると、ベルト構造が横断方向又は長手方向に収縮するとき、示した開口４１形状が作製する「耳」は立ち上がることができて、皺の高さに加えてｚ方向の嵩を加えることができる。追加した嵩は、追加した柔軟性及び／又は通気性の触覚的並びに視覚的認識に、寄与することができる。そのうえベルト構造の伸縮を使って、「耳」は開閉でき、あるいは、下位層の対照的な外観及び／又は色を明らかにしたり隠したり、より複雑かつ印象的な外観をベルト構造にもたらすことができる。」との記載からみて、本件特許明細書に記載された「第１の開口」を有する「第１層」は、着用中の視覚的印象の提供に寄与するように、ベルトの外側層を形成することが自明であることに基づくものである。
　訂正事項２による訂正のうち、「皺」について、「前記皺が、機械方向および横断方向に不連続である隆起を有する」とする訂正は、本件特許明細書の段落【００３６】の「・・・例えば、皺２７の整然とした機械方向の行かつ無秩序又はランダムな横断方向の列を提供するように、接着剤のパターンは選択できる。・・・図８Ｃで示す別の例では、接着剤沈着のパターンが、横断方向に沿って実質的に連続している（すなわち、弾性ストランド２６で若しくは他の箇所で、ほとんど又は全く中断していない）山２８及び谷２９を有する皺２７を生じるように構成されており、これは、横断方向に沿って層２４、２５の間に、接着剤の実質的に連続する、線形沈着のパターンにより達成できる。・・・」との記載及び【図４】、【図８Ａ】〜【図８Ｃ】に示されているものからみて、「接着剤沈着のパターンが、横断方向に沿って実質的に連続している（すなわち、弾性ストランド２６で若しくは他の箇所で、ほとんど又は全く中断していない）山２８及び谷２９を有する皺２７を生じるように構成され」たと説明されている【図８Ｃ】に示されたものに対して【図８Ａ】及び【図８Ｂ】に示されたものは、機械方向および横断方向に不連続である隆起２９を有することが自明であることに基づくものである。
　したがって、訂正事項１及び２による訂正は、特許法第１２０条の５第９項で準用する同法第１２６条第５項の規定に適合するものである。
　
エ．特許請求の範囲の拡張・変更の存否について
　訂正事項１及び２による訂正は、発明のカテゴリーや対象、目的を変更するものではなく、明らかに、実質上特許請求の範囲を拡張し、又は変更するものではない。
　よって、訂正事項１及び２による訂正は、特許法第１２０条の５第９項で準用する同法第１２６条第６項の規定に適合するものである。
　
オ．独立特許要件
　訂正事項１および２は、上記イ．で示したように、特許法第１２０条の５第２項ただし書第１号に規定する特許請求の範囲の減縮を目的とするものであるところ、訂正事項１及び２により訂正される、訂正前の請求項７は、特許異議の申立てがされていない請求項であるから、特許法第１２０条の５第９項で読み替えて準用する同法第１２６条第７項の規定により、訂正後の請求項７に係る発明は、特許出願の際独立して特許を受けることができるものでなければならない。
　ここで、訂正後の請求項７が引用する訂正後の請求項１に係る発明は、後記３．（３）イ．及び４．で示すように、取消理由通知に記載した取消理由によっては、その特許を取り消すことができず、また、他にも、その特許を取り消すべき理由を発見しないもの、すなわち、特許出願の際独立して特許を受けることができるものである。
　してみると、訂正後の請求項７に係る発明は、訂正後の請求項１に係る発明の発明特定事項の全てを含み、さらに、技術的な限定を加える事項を発明特定事項として備えるものであるから、上記訂正後の請求項１に係る発明についての判断と同様に、特許出願の際独立して特許を受けることができるものである。
　したがって、訂正事項１及び２による訂正は、特許法第１２０条の５第９項で読み替えて準用する同法第１２６条第７項の規定に適合するものである。
　
（３）むすび
　以上のとおりであるから、本件訂正請求による訂正は特許法第１２０条の５第２項ただし書第１号に規定する特許請求の範囲の減縮を目的とするものであり、かつ、同条第４項、及び、同条第９項において準用する同法第１２６条第５項〜第７項の規定に適合するので、訂正後の請求項〔１−１２〕について訂正を認める。
  
３．特許異議の申立てについて
（１）本件発明
　本件訂正請求が認められることにより、本件特許の請求項１〜６、８〜１２に係る発明（以下、「本件発明１〜６、８〜１２」という。）は、本件訂正請求書に添付した訂正特許請求の範囲の請求項１〜６、８〜１２に記載された事項により特定される、以下のとおりのものである。
「【請求項１】
　吸収性物品のベルトであって、内側層と外側層とを含むベルトを形成する非平坦積層体構造であって、
　機械方向を有する第１の不織ウェブにより形成された第１層であって、該第１の不織ウェブが機械方向バイアスを有するポリマ繊維により形成されて、かつ貫通する第１の開口の第１のパターンを有している、第１層と、
　第２層と、
　前記第１層と前記第２層との間に配置されて、かつそれらの間に結合された１つ以上の弾性部材であって、該弾性部材が歪みを付与された状態で前記第１層と前記第２層との間に配置されて、それによって、少なくとも前記第１層に存在する前記積層体の厚さの方向に延伸する皺のパターンを形成する、弾性部材とを含み、
　前記第１層が、前記第２層に結合された前記弾性部材の少なくとも１つに前記第１層が結合された第１部分と、前記第１層が前記第２層に非接合若しくは非結合された第２部分と、を含み、
　前記１つ以上の弾性部材がエラストマ材のストランドを含み、
　前記第１層及び前記第２層が非弾性であり、
　前記第１の開口が、繊維の材料が熱的に溶融され又は変形されて、かつ絡み合わされた端部によって定められ、
　前記第１層が、前記ベルトの前記外側層を形成し、
　前記皺が、機械方向および横断方向に不連続である隆起を有する、積層体構造。
【請求項２】
　前記第１の不織ウェブがその上に結合のパターンを有する、請求項１に記載の積層体構造。
【請求項３】
　前記第１の開口の第１のパターンが、機械方向間隔、横断方向間隔、開口形状及び開口サイズの１つ以上において結合のパターンと実質的に類似している、請求項２に記載の積層体構造。
【請求項４】
　前記第２層が第２の不織ウェブにより形成される、請求項１〜３のいずれか一項に記載の積層体構造。
【請求項５】
　前記第１の開口の大部分が、最長寸法が機械方向に沿って配向される形状を定める、請求項１〜４のいずれか一項に記載の積層体構造。
【請求項６】
　前記第１の開口が、棒状、円弧状、他の湾曲する有限軌道、円形、卵形、楕円形又は多角形、及びこれらの組み合わせからなる群から選択される形状を定める、請求項１〜５のいずれか一項に記載の積層体構造。」
　
「【請求項８】
　前記第１の不織ウェブがポリオレフィンにより形成されたスパンボンド繊維を含む、請求項１〜７のいずれか一項に記載の積層体構造。
【請求項９】
　前記第１層が、前記第１層と前記第２層の間に配置された接着剤のパターンにより前記第２層に結合される、請求項１〜８のいずれか一項に記載の積層体構造。
【請求項１０】
　前記皺のパターンが山と谷とを有し、前記第１の開口の少なくともいくつかが該山に存在する、請求項１〜９のいずれか一項に記載の積層体構造。
【請求項１１】
　パンツ又はおむつの形態の使い捨て吸収性物品であって、該物品が、前側腰部縁部で終わる前側腰部領域、後側腰部縁部で終わる後側腰部領域、横方向を定める腰部縁部を有しており、請求項１〜１０のいずれか一項に記載の前記積層体構造が、前記前側腰部領域および前記後側腰部領域を相互連結するパネルを形成する、使い捨て吸収性物品。
【請求項１２】
　機械方向が横方向に実質的に平行である、請求項１１に記載の使い捨て吸収性物品。」
　
（２）取消理由の概要
　上記令和１年６月２４日付けで通知した取消理由に示した本件発明１〜６及び８〜１２係る特許に対する取消理由の概要は、以下のとおりである。
　なお、上記取消理由においては、申立人が申し立てた全ての特許異議申立理由を採用した。
　
《理由》 
　本件発明１〜６、８〜１２は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
　
　　　　　　　　　　　　　　　　　　記
《引用例一覧》 
甲１．特開２０１１−７８４７７号公報 
甲２．特開２０１２−１３９２４７号公報 
甲３．特開２００１−３２８１９１号公報 
甲４．特開２０１０−８２１３９号公報 
甲５．特開２００９−３４２７１号公報 
甲６．特許第３２４９５３０号公報 
　
（３）当審の判断
ア．甲１記載事項及び甲１−１発明
　甲１には、以下の事項が記載されている。
（ア）「【特許請求の範囲】
【請求項１】
　複数個の筒状部を並設してなる伸縮シートであって、
　第１シートと、該第１シートに接合された第２シートと、該第１シート及び該第２シートの間に並列状に配された複数本の弾性部材とを有し、該弾性部材は前記筒状部の並設方向に伸長状態で配され、該弾性部材の伸長方向に伸縮するようになしてあり、
　隣り合う前記筒状体同士の間には、前記第１シート及び前記第２シートを接合する接合部が複数個配されており、
　前記筒状部は、両端部それぞれに開口端を有し、
　前記筒状部の前記第１シート側の凸部には、前記筒状部の内部に繋がる開孔が間欠的に複数個形成されている伸縮シート。」
（イ）「【技術分野】
【０００１】
　本発明は、感触が柔らかく、見た目も美しく、通気性の高いギャザーを形成し得る伸縮シート及びそれを用いたパンツ型吸収性物品に関する。
【背景技術】
【０００２】
　従来のパンツ型吸収性物品として、パンツ内部の蒸気を外部に放出し易くし装着感が向上したパンツ型吸収性物品が知られている。例えば、特許文献１には、前述のようなパンツ型吸収性物品として、周方向に環を形成するベルト部材と股下域を構成する吸液構造体とを、周方向に間欠的に並ぶ接合部によって接合し、周方向に隣り合う接合部同士の間に通気路が形成さた吸収性物品が記載されている。
【０００３】
　このような特許文献１に記載の吸収性物品においては、排泄された尿が吸液構造体に配された吸液性コアに吸収され、おむつ内の湿度が上昇しても、通気路を介して蒸気を外部に放出することができるので、おむつ内の湿潤感を低下させることができる。
【先行技術文献】
【特許文献】
【０００４】
【特許文献１】特開２００９−６１１２７号公報
【発明の概要】
【発明が解決しようとする課題】
【０００５】
　しかしながら、特許文献１に記載の吸収性物品においては、通気路がベルト部材と吸液構造体との接合域にのみ形成されているため、おむつ内部の蒸気を積極的に外部に放出することができない。
【０００６】
　したがって、本発明の課題は、通気性の高いギャザーを形成すると共に、感触が柔らかく、見た目も美しい伸縮シート及びその伸縮シートを用いたパンツ型吸収性物品を提供することにある。」
（ウ）「【発明の効果】
【００１０】
　本発明の伸縮シートによれば、通気性が高く、感触が柔らかく、見た目も美しいので、パンツ型吸収性物品にそのようなギャザーを形成することができる。」
（エ）「【００１３】
　本実施形態の伸縮シート１は、複数個の筒状部２を並設してなる。伸縮シート１は、図１に示すように、第１シート３と、第１シート３に接合された第２シート４と、第１シート３及び第２シート４の間に並列状に配された複数本の弾性部材５とを有している。弾性部材５は、図１に示すように、筒状部２の並設方向に伸長状態で配されており、伸縮シート１は、弾性部材５の伸長方向に伸縮するようになしてある。
　上述のように、筒状部２の並設方向と、弾性部材５の伸長方向と、伸縮シート１の伸縮方向は、同一方向であり、以下の説明では、図１に示すように、図面の上下方向を、Ｙ方向とし、Ｙ方向と直交する方向をＸ方向として説明する。
【００１４】
　伸縮シート１は、図１に示すように、複数個の筒状部２を並設して形成されており、１０個〜２００個、特に３０個〜８０個の筒状部２をＸ方向に並設して形成されていることが好ましい。
【００１５】
　筒状部２は、図１に示すように、両端部２ａ，２ａそれぞれに、開口端２１，２１を有している。筒状部２は、Ｙ方向に細長い中空の構造である。開口端２１は、略円形であり、その内径は、３ｍｍ〜２０ｍｍ、特に５ｍｍ〜１０ｍｍであることが好ましい。開口端２１の内径は、最も広い部位での長さである。筒上部２は、後述するように、第１シート３、第２シート４、弾性部材５、及び、第１シート３及び第２シート４を接合する接合部６により形成される。筒状部２の第１シート３側の凸部には、図１に示すように、筒状部２の内部に繋がる開孔２２が間欠的に複数個形成されている。開孔２２は、通気性を確保する観点から、Ｙ方向に、１０個〜２００個、特に５個〜５０個、略均等な間隔を空けて間欠的に配されていることが好ましい。このようにＹ方向に間欠的に配された複数個の開孔２２（開孔２２の群２２０）が、図１に示すように、Ｘ方向に、１０個〜２００個、特に２０個〜８０個、間欠的に列をなして形成されていることが好ましい。」
（オ）「【００１７】
　複数本の弾性部材５それぞれは、第１シート３及び第２シート４の間に、Ｘ方向に伸長した状態で配され、Ｙ方向に、５本〜２００本、特に１０本〜１００本の弾性部材５が、間欠的に並列状に配されていることが好ましい。各弾性部材５は、接合部６を通らないように配されており、各弾性部材５の両端部それぞれにおいてのみ、第１シート３及び第２シート４の間に挟まれた状態で固定されている（図１の左側の固定参照）。
【００１８】
　複数個の接合部６は、第１シート３及び第２シート４を接合している部位であり、隣り
合う筒状体２，２同士の間のＹ方向に、５個〜２００個、特に１０個〜１００個の接合部６が、略均等な間隔を空けて間欠的に配されていることが好ましい。このようにＹ方向に間欠的に配された複数個の接合部６（接合部６の群６０）が、図１に示すように、Ｘ方向に、１０個〜２００個、特に１０個〜１００個、間欠的に列をなして形成されていることが好ましい。伸縮シート１には、図１に示すように、Ｙ方向に延びる接合部６の群６０と、Ｙ方向に細長い筒状部２とが、Ｘ方向に、交互に配されており、本実施形態においては、Ｙ方向に延びる接合部６の群６０と、Ｙ方向に延びる開孔２２の群２２０とが、Ｘ方向に、交互に配されている。
【００１９】
　以下、第１シート３、第２シート４、弾性部材５、及び接合部６から形成される筒上部２について具体的に説明する。
　Ｘ方向に長い長方形状の第１シート３と、第１シート３と同形同大の第２シート４を、接合部６により接合する。本実施形態においては、第１シート３には、Ｘ方向及びＹ方向それぞれに、略均等な間隔を空けて、開孔２２が形成されている。本実施形態においては、第１シート３の開孔２２の配置パターンは、図２に示すように、Ｘ方向及びＹ方向にそれぞれ、略均等な間隔を空けて間欠的に配されたパターンであるが、千鳥状のパターンであっても、ランダムなパターンであってもよい。第１シート３の開孔２２は、第１シート３を伸長させた状態において、Ｘ方向に隣り合う開孔２２のピッチＰ１が、図２に示すように、３〜５０ｍｍ、特に５〜２０ｍｍであることが好ましく、Ｙ方向に隣り合う開孔２２のピッチＰ２は、３〜５０ｍｍ、特に５〜２０ｍｍであることが好ましい。
【００２０】
　本実施形態においては、接合部６の配置パターンは、図２に示すように、Ｘ方向及びＹ方向にそれぞれ、略均等な間隔を空けて間欠的に配されたパターンであるが、千鳥状のパターンであってもよい。本実施形態においては、Ｘ方向において、開孔２２と接合部６とが交互に配されている。本実施形態においては、Ｙ方向に細長い筒状部２を確実に形成させる観点から、第１シート３及び第２シート４を伸長させた状態における、Ｘ方向に隣り合う接合部６のピッチＰ３は、図２に示すように、１〜３０ｍｍ、特に６〜２０ｍｍであることが好ましく、各接合部６のＸ方向の長さＬ１は、図２に示すように、０．１〜５ｍｍ、特に０．２〜１．５ｍｍであることが好ましく、ピッチＰ３と長さＬ１の比（Ｐ３／Ｌ１）は１．１〜３００、特に４〜１００であることが好ましい。また、第１シート３及び第２シート４を伸長させた状態における、Ｙ方向に隣り合う接合部６のピッチＰ４は、図２に示すように、１〜４０ｍｍ、特に２〜１５ｍｍであることが好ましく、各接合部６のＹ方向の長さＬ２は、図２に示すように、０．５〜２０ｍｍ、特に１〜１０ｍｍであることが好ましく、ピッチＰ４と長さＬ２の比（Ｐ４／Ｌ２）は１．０５〜８０、特に１．０５〜１５であることが好ましい。」
（カ）「【００２２】
　上述のように形成した伸縮シート１は、その自然状態（外力を加えない状態）において、各弾性部材５がＸ方向に収縮すると、図１に示すように、第１シート３及び第２シート４それぞれが、Ｘ方向に隣り合う接合部６の群６０，６０同士の間毎に、伸縮シート１の厚み方向に突出し、Ｙ方向に細長い中空の構造の筒状部２を形成する。このように伸縮シート１は、図１に示すように、自然状態において、Ｘ方向に複数個の筒状部２が並設されたような形状となる。自然状態における筒状部２の高さは，好ましくは片側１〜１５ｍｍ程度である。
【００２３】
　本実施形態の伸縮シート１の形成材料について説明する。
　第１シート３及び第２シート４としては、それぞれ、例えばエアースルー不織布、ヒートロール不織布、スパンレース不織布、スパンボンド不織布、メルトブローン不織布等の各種製法による不織布、織布、編布、樹脂フィルム等、及びこれら２以上を積層一体化させてなるシート材等を用いることができる。第１シート３及び第２シート４としては、好ましくは不繊布が用いられる。不織布の坪量としては、好ましくは５〜５０ｇ／ｍ２、特に好ましくは１８〜３０ｇ／ｍ２の不織布が用いられる。
【００２４】
　第１シート３及び第２シート４は、熱融着による接合を容易にする観点から、その形成素材（不織布の場合の繊維、樹脂フィルムのフィルム材料等）が熱融着性の樹脂からなることが好ましく、熱融着性の樹脂としては、ポリエチレン、ポリプロピレン等が挙げられる。不織布等を構成する繊維は、表面のみが熱融着性の樹脂からなる芯鞘型の複合繊維等であっても良い。尚、２枚のシート材のうちの一方のシート材と他方のシート材とでは、形成材料が同一でも異なっていてもよい。」
（キ）「【００２６】
＜座屈強度の試験法（ＣＤ）＞
　機械流れ方向（ＭＤ）に１５０ｍｍ、機械流れ方向と直交する方向（ＣＤ）に３０ｍｍの長方形の試験片を取り、直径４５ｍｍの円筒を作り、重なり合った部分の上端と下端とをホッチキス等で止め測定サンプルとする。これを、テンシロン万能試験装置の圧縮武験モードにより、測定環境２０℃、６５％ＲＨ、測定条件としては、圧縮速度１０ｍｍ／ｍｉｎ、測定距離２０ｍｍで測定を行う。サンプルを２０ｍｍ圧縮した時の最大強度を各サンプルについて測定し、その平均値を求め、これを座屈独度とする。
　前述したように、複数個の開孔２２を有する第１シート３として、不織布（好ましくは５〜５０ｇ／ｍ２、特に好ましくは１８〜３０ｇ／ｍ２の不織布）が用いられた際の不織布の座屈強度は、好ましくはＣＤ方向で１ｃＮ以上〜５０ｃＮ以下、特に好ましくは３ｃＮ以上〜３０ｃＮ以下、ＭＤ方向で好ましくは２ｃＮ以上〜７０ｃＮ以下、特に好ましくは５ｃＮ以上〜５０ｃＮ以下である。第２シート４として、不織布（好ましくは５〜５０ｇ／ｍ２、特に好ましくは１８〜３０ｇ／ｍ２の不織布）が用いられた際の不織布の座屈強度は、好ましくはＣＤ方向で２ｃＮ以上〜５０ｃＮ以下、特に好ましくは５ｃＮ以上〜３０ｃＮ以下、ＭＤ方向で好ましくは３ｃＮ以上〜７０ｃＮ以下、特に好ましくは１０ｃＮ以上〜５０ｃＮ以下である。」
（ク）「【００２７】
　弾性部材５としては、使い捨ておむつや生理用ナプキン等の吸収性物品に用いられる各種公知の弾性材料を特に制限なく用いることができ、例えば、スチレン−ブタジエン、ブタジエン、イソプレン、ネオプレン等の合成ゴム、天然ゴム、ＥＶＡ、伸縮性ポリオレフィン、ポリウレタン等を用いることができ、形態としては、断面が矩形、正方形、円形、多角形状等の糸状ないし紐状（平ゴム等）のもの、或いはマルチフィラメントタイプの糸状のもの等を用いることができる。」
（ケ）「【００２９】
　第１シート３及び第２シート４の接合には、使い捨ておむつや生理用ナプキン等の吸収性物品に用いられる各種公知の接合方法を特に制限なく用いることができ、例えば、ヒートシール、高周波シール、超音波シール、接着剤等が用いられる。」
（コ）「【００３２】
　第１実施形態のパンツ型使い捨ておむつ１０Ａ（以下、「おむつ１０Ａ」ともいう。）は、図３に示すように、肌当接面側に、伸縮シート１の第１シート３が配されて形成された外装体１１と、外装体１１の内面側に固定されている吸収性本体１２とを具備している。おむつ１０Ａにおいては、筒状部２の開口端２１が、おむつ１０Ａのウエスト開口部ＷＯ又はレッグ開口部ＬＯの周縁部に配されている。おむつ１０Ａは、図３〜図４に示すように、中心線ＣＬに対して左右対称に形成されており、おむつ１０Ａの伸長状態（図４参照）において、その長手方向（Ｙ方向）に、着用時に、着用者の腹側に配される腹側部Ａと、着用者の背側に配される背側部Ｂと、腹側部Ａと背側部Ｂとの間に位置し、着用者の股間部に配される股下部Ｃを有している。
【００３３】
　おむつ１０Ａは、図３，図４に示すように、外装体１１と、外装体１１の内面側に固定されている吸収性本体１２とを具備している。おむつ１０Ａは、腹側部Ａにおける外装体１１の両側縁部１１ａ，１１ａ及び背側部Ｂにおける外装体１１の両側縁部１１ｂ，１１ｂそれぞれが接合されて一対のサイドシール部１３，１３が形成されている。尚、図３，図４に示すように、外装体１１の幅方向（Ｘ方向）の長さは、吸収性本体１２の幅方向（Ｘ方向）の長さよりも長い。
【００３４】
　おむつ１０Ａの外装体１１は、図３に示すように、伸縮シート１により形成されており、伸縮シート１の第１シート３が、肌当接面側に配されている。おむつ１０Ａの外装体１１においては、一対のサイドシール部１３，１３間に亘って、各弾性部材５がＸ方向に伸長した状態で配されており、Ｙ方向に、間欠的に並列状に配されている。各弾性部材５は、一対のサイドシール部１３，１３において固定されているが、一対のサイドシール部１３，１３間においては、第１シート３と第２シート４と固定されていない。従って、おむつ１０Ａは、自然状態において、図３に示すように、腹側部Ａにおける外装体１１と、背側部Ｂにおける外装体１１とに、おむつ１０Ａの長手方向（Ｙ方向）に長い複数個の筒状部２がＸ方向に並設されている。」
（サ）「【００４１】
　上述した本発明の伸縮シート１を用いて形成した第１施形態のパンツ型使い捨ておむつ１０Ａを使用した際の作用効果について説明する。
　第１実施形態のおむつ１０Ａは、図３，図４に示すように、外装体１１が伸縮シート１から形成され、伸縮シート１は複数個の筒状部２を並設して形成されているので、見た目が美しい。また、第１実施形態のおむつ１０Ａは、図３，図４に示すように、肌当接面側に、伸縮シート１の第１シート３が配されて形成ており、筒状部２の開口端２１が、おむつ１０Ａのウエスト開口部ＷＯ又はレッグ開口部ＬＯの周縁部に配されていると共に、第１シート３側の凸部には、筒状部２の内部に繋がる開孔２２が間欠的に複数個形成されているので、通気性が高く、おむつ１０Ａの内部に湿気が溜まり難い。また、第１実施形態のおむつ１０Ａは、図３，図４に示すように、外装体１１が伸縮シート１から形成され、複数個の筒状部２により、伸縮シート１の厚み方向にボリュームが出るので、おむつ１０Ａに触れたときの感触が極めて柔らかく、肌触りがよい。」
（シ）「【００５０】
　次に、本発明のパンツ型吸収性物品を、上述した伸縮シート１を用いて形成した好ましい第３実施形態に基づき、図７〜図８を参照しながら説明する。
　第３実施形態のパンツ型使い捨ておむつ１０Ｃ（以下、「おむつ１０Ｃ」ともいう）については、第１実施形態のパンツ型使い捨ておむつ１０Ａと異なる点について説明する。特に説明しない点は、第１実施形態のパンツ型使い捨ておむつ１０Ａと同様であり、第１実施形態のパンツ型使い捨ておむつ１０Ａの説明が適宜適用される。
【００５１】
　第３実施形態のおむつ１０Ｃは、おむつ１０Ａの外装体１１と異なり、図７に示すように、伸縮性の腹側シート部材１１Ａと、伸縮性の背側シート部材１１Ｂとを備えている。また、第３実施形態のおむつ１０Ｃは、おむつ１０Ａの外装体１１と異なり、図７に示すように、吸収性本体１２の外表面が伸縮シート１により覆われている。
【００５２】
　おむつ１０Ｃは、図７に示すように、着用時に着用者の腹側に配される伸縮性の腹側シート部材１１Ａと、着用時に着用者の背側に配される伸縮性の背側シート部材１１Ｂと、腹側シート部材１１Ａ及び背側シート部材１１Ｂに亘って固定された吸収性本体１２とを具備し、腹側シート部材１１Ａの両側縁部１１ａ，１１ａと背側シート部材１１Ｂの両側縁部１１ｂ，１１ｂとが接合されてウエスト開口部ＷＯと一対のレッグ開口部ＬＯ，ＬＯとが形成されている
【００５３】
　おむつ１０Ｃの腹側シート部材１１Ａ及び背側シート部材１１Ｂは、図７に示すように、伸縮シート１により形成されており、伸縮シート１の第１シート３が、肌当接面側に配されている。おむつ１０Ｃの腹側シート部材１１Ａ及び背側シート部材１１Ｂそれぞれにおいては、各弾性部材５がＸ方向に伸長した状態で配されており、Ｙ方向に、間欠的に並列状に配されている。各弾性部材５は、一対のサイドシール部１３，１３において固定されているが、一対のサイドシール部１３，１３間においては、第１シート３と第２シート４と固定されていない。従って、おむつ１０Ｃは、自然状態において、図７に示すように、腹側シート部材１１Ａと、背側シート部材１１Ｂとに、おむつ１０ａの長手方向（Ｙ方向）に長い複数個の筒状部２がＸ方向に並設されている。
【００５４】
　おむつ１０Ｃにおいては、吸収性本体１２の外表面が伸縮シート１により覆われている。具体的には、吸収性本体１２は、図７，図８に示すように、実質的に縦長の長方形状であり、液透過性の表面シート１２１、液不透過性（液難透過性）の裏面シート１２２、両シート１２１，１２２間に介在する吸収体１２３を備えており、おむつ１０Ｃにおいては、裏面シート１２２の外面側に、伸縮シート１が配されている。裏面シート１２２に配された伸縮シート１においては、各弾性部材５がＹ方向に伸長した状態で配されており、Ｘ方向に、間欠的に並列状に配されている。各弾性部材５は、吸収性本体１２の長手方向（Ｙ方向）の両端部において固定されているが、吸収性本体１２の長手方向（Ｙ方向）の両端部間においては、第１シート３と第２シート４と固定されていない。従って、おむつ１０Ｃの吸収性本体１２には、自然状態において、図７に示すように、その外表面に、おむつ１０Ｃの幅方向（Ｘ方向）に長い複数個の筒状部２がＹ方向に並設されている。」
（ス）「【００５９】
　上述した本発明の第３実施形態のパンツ型使い捨ておむつ１０Ｃを使用した際の作用効果について説明する。
　第３実施形態のおむつ１０Ｃの効果については、第１実施形態のおむつ１０Ａの効果と異なる点について説明する。特に説明しない点は、第１実施形態のおむつ１０Ａの効果と同様であり、第１実施形態の展開型の使い捨ておむつ１０Ａの効果の説明が適宜適用される。」
（セ）
「【図１】
」
（ソ）
「【図３】
」
（タ）
「【図４】
」
（チ）
「【図７】
」
（ツ）
「【図８】
」
　
　上記（シ）、（ス）、（セ）、（チ）及び（ツ）に摘記した「第３実施形態のおむつ１０Ｃ」に関する記載に着目し、上記（ア）〜（ス）の摘記及び（セ）〜（ツ）の図示を整理すると、甲１には以下の甲１発明が記載されているといえる。 
　
《甲１発明》
　おむつ１０Ｃの腹側シート部材１１Ａ及び背側シート部材１１Ｂを形成するための伸縮シート１であって、
　ポリエチレン、ポリプロピレン等を形成素材とするスパンボンド不織布を用い、Ｘ方向及び該Ｘ方向に直交するＹ方向にそれぞれ、略均等な間隔を空けて間欠的に配されたパターンで開孔２２が形成され、おむつ１０Ｃの形成時には肌当接面側に配される、第１シート３と、 
　不織布を用いた第２シート４と、 
　前記Ｘ方向及びＹ方向にそれぞれ、略均等な間隔を空けて間欠的に配されたパターンで形成され、前記第１シート３と前記第２シート４とを、接着剤で接合する接合部６と、 
　前記第１シート３及び第２シート４の間に、前記Ｘ方向に伸長した状態で配され、前記Ｙ方向に間欠的に並列状に配され、その両端部それぞれにおいてのみ、前記第１シート３及び第２シート４との間に挟まれた状態で固定されており、スチレン−ブタジエン、ブタジエン、イソプレン、ネオプレン等の合成ゴム、天然ゴムを用いた糸状ないし紐状（平ゴム等）の複数本の弾性部材５と、 
　前記第１シート３、第２シート４、弾性部材５及び接合部６により形成される複数個の筒状部２とを有し、
　その自然状態（外力を加えない状態）において、各弾性部材５がＸ方向に収縮することにより、前記第１シート３及び第２シート４それぞれが、Ｘ方向に隣り合う接合部６の群６０，６０同士の間毎に、伸縮シート１の厚み方向に突出し、Ｙ方向に細長い中空の構造の前記筒状部２を形成し、 
　前記開孔２２は、前記筒状部２の内部に繋がれるように、前記第１シート３側の凸部に形成されている、伸縮シート１。
　
イ．本件発明１について
（ア）甲１発明との対比、一致点、相違点
本件発明１と甲１発明とを対比する。
　甲１発明の「おむつ１０Ｃ」、「ポリエチレン、ポリプロピレン等を形成素材とするスパンボンド不織布」、「開孔２２」、「肌当接面側」、「第２シート４」、「スチレン−ブタジエン、ブタジエン、イソプレン、ネオプレン等の合成ゴム、天然ゴムを用いた糸状ないし紐状（平ゴム等）」、「弾性部材５」は、各々、本件発明１の「吸収性物品」、「第１の不織ウェブ」、「第１の開口」、「内側」、「第２層」、「エラストマ材のストランド」、「弾性部材」に相当する。
　また、甲１発明の「伸縮シート１」は、「第１シート３」、「弾性部材５」及び「第２シート４」が積層された構造体であり、「その自然状態（外力を加えない状態）において、各弾性部材５がＸ方向に収縮することにより、前記第１シート３及び第２シート４それぞれが、Ｘ方向に隣り合う接合部６の群６０，６０同士の間毎に、伸縮シート１の厚み方向に突出し、Ｙ方向に細長い中空の構造の前記筒状部２を形成する」ものであり、平坦なものではないことが明らかであるから、前記「伸縮シート１」は、本件発明１の「非平坦積層体構造」に相当する。
　そして、甲１発明において、「おむつ１０Ｃの腹側シート部材１１Ａ及び背側シート部材１１Ｂ」は、いわゆる、おむつ１０Ｃのベルト部材であるといえるところ、「腹側シート部材１１Ａ及び背側シート部材１１Ｂ」は、「おむつ１０Ｃの形成時には肌当接面側に配される肌当接面側に配される」、「第１シート３」と「弾性部材５」と「第２シート４」とが積層された構造体である「伸縮性シート１」により形成されるものであることを踏まえると、前記「おむつ１０Ｃの腹側シート部材１１Ａ及び背側シート部材１１Ｂ」は、本件発明１の「吸収性物品のベルトであって、内側層と外側層とを含むベルト」に相当する。
　さらに、甲１発明の「ポリエチレン、ポリプロピレン等を形成素材とするスパンボンド不織布を用い、Ｘ方向及び該Ｘ方向に直交するＹ方向にそれぞれ、略均等な間隔を空けて間欠的に配されたパターンで開孔２２が形成され、おむつ１０Ｃの形成時には肌当接面側に配される、第１シート３」と、
　本件発明１の「機械方向を有する第１の不織ウェブにより形成された第１層であって、該第１の不織ウェブが機械方向バイアスを有するポリマ繊維により形成されて、かつ貫通する第１の開口の第１のパターンを有している」、「前記ベルトの前記外側層を形成」する、「第１層」とは、
　「第１の不織ウェブにより形成された第１層であって、貫通する第１の開口の第１のパターンを有している、第１層」という限りにおいて一致する。
　そして、甲１発明の「前記第１シート３、第２シート４、弾性部材５及び接合部６により形成され」、「その自然状態（外力を加えない状態）において、各弾性部材５がＸ方向に収縮することにより、前記第１シート３及び第２シート４それぞれが、Ｘ方向に隣り合う接合部６の群６０，６０同士の間毎に、伸縮シート１の厚み方向に突出し、Ｙ方向に細長い中空の構造の」、「複数個の筒状部２」と、
　本件発明１の「前記第１層と前記第２層との間に配置されて、かつそれらの間に結合された１つ以上の弾性部材であって、該弾性部材が歪みを付与された状態で前記第１層と前記第２層との間に配置されて、それによって」、「形成」される、「少なくとも前記第１層に存在する前記積層体の厚さの方向に延伸」し、「機械方向および横断方向に不連続である隆起を有する」、「皺のパターン」とは、
　「前記第１層と前記第２層との間に配置されて、かつそれらの間に結合された１つ以上の弾性部材であって、該弾性部材が歪みを付与された状態で前記第１層と前記第２層との間に配置されて、それによって」、「形成」される、「少なくとも前記第１層に存在する前記積層体の厚さの方向に延伸」する「皺のパターン」という限りにおいて一致する。
　
　してみると、本件発明１と甲１発明との一致点、相違点は以下のとおりである。
《一致点》
　吸収性物品のベルトであって、内側層と外側層とを含むベルトを形成する非平坦積層体構造であって、
　機械方向を有する第１の不織ウェブにより形成された第１層であって、該第１の不織ウェブがポリマ繊維により形成されて、かつ貫通する第１の開口の第１のパターンを有している、第１層と、
　第２層と、
　前記第１層と前記第２層との間に配置されて、かつそれらの間に結合された１つ以上の弾性部材であって、該弾性部材が歪みを付与された状態で前記第１層と前記第２層との間に配置されて、それによって、少なくとも前記第１層に存在する前記積層体の厚さの方向に延伸する皺のパターンを形成する、弾性部材とを含み、
　前記第１層が、前記第２層に結合された前記弾性部材の少なくとも１つに前記第１層が結合された第１部分と、前記第１層が前記第２層に非接合若しくは非結合された第２部分と、を含み、
　前記１つ以上の弾性部材がエラストマ材のストランドを含み、
　前記第１層及び前記第２層が非弾性である、積層体構造。　
　
《相違点１》 
　第１の不織ウェブが、本件発明１では「機械方向を有する」ものであって、「機械方向バイアスを有するポリマ繊維により形成され」ているのに対し、甲１発明では「スパンボンド不織布を用いた」ものではあるが、スパンボンド不織布を構成する長繊維の繊維長方向が機械方向であるとは特定されていない点。
《相違点２》 
　本件発明１の第１の開口は「繊維の材料が熱的に溶融され又は変形されて、かつ絡み合わされた端部によって定められる」ものであるのに対し、甲１発明の「開孔２２」はそのようなそのようなものであるとの特定がされていない点。
《相違点３》 
　本件発明１は、「第１層が、前記ベルトの前記外側層を形成」するものであるのに対し、甲１発明は、「第１シート３」が、「おむつ１０Ｃの形成時には肌当接面側に配される」ものである点。
《相違点４》 
　本件発明１は、「皺が、機械方向および横断方向に不連続である隆起を有する」ものであるのに対し、甲１発明は、「筒状部２」が、「Ｙ方向に細長い中空の構造」のものである点。
　
（イ）相違点についての判断 
　事案に鑑み、《相違点３》及び《相違点４》から検討する。　
ａ．《相違点３》について 
　甲１発明は、「第１シート３」が、「Ｘ方向及び該Ｘ方向に直交するＹ方向にそれぞれ、略均等な間隔を空けて間欠的に配されたパターンで開孔２２が形成され、おむつ１０Ｃの形成時には肌当接面側に配される」ものであることにより、通気性が高く、おむつの内部に湿気が溜まり難いという作用効果を奏し（上記ア．（サ）及び（ス）を参照。）、通気性の高いギャザーを形成すると共に、感触が柔らかく、見た目も美しい伸縮シート及びその伸縮シートを用いたパンツ型吸収性物品を提供するという課題（上記ア．（イ）を参照。）を解決するものであるから、甲１発明における「第１シート３」を「肌当接面側」とは反対側となる外側の層を形成するように、その構成を変更することには、阻害要因がある。
　そして、甲１発明における「第１シート３」を「肌当接面側」とは反対側となる外側の層を形成するように、その構成を変更し得る旨は、甲１には、当然のことながら記載されておらず、これを示唆する記載もないし、甲２〜甲６にも記載されておらず、これを示唆する記載もない。
　したがって、甲１発明における「第１シート３」を「肌当接面側」とは反対側となる外側の層を形成するように、その構成を変更し、《相違点３》に係る本件発明１の構成とすることは、当業者が容易になし得たこととはいえない。
　なお、上記《相違点３》に関し、申立人は、申立人意見書の３頁１６行〜４頁末行において、本件特許明細書には、「外側層」を「肌当接面側とは反対側」と同視すべき根拠は見出せず、本件特許明細書の段落【００３５】及び【００３７】の記載からは、視覚効果を考慮しても、「開口」を有するのは「外側層」に限らないことが理解できるから、上記《相違点３》は実質的な相違点とはならない旨を主張している。
　しかしながら、本件特許明細書において、【背景技術】を説明した段落【０００２】の「・・・バルーンパンツのデザインは、通常、中心の吸収性シャーシ及び弾性ベルトを含む。弾性ベルトは、通常、比較的幅が広く（長手方向に）及び横方向に弾性的に伸縮性がある。
それは完全に着用者の腰部を取り囲み、それによって、着用者の皮膚の比較的広い領域を覆い、更にパンツの目視できる外側表面の比較的大きな部分を占める。
　そして、本件特許明細書の段落【００３５】の「上述のようにベルトの不織ウェブ層２４、２５の１つ又は両方を形成する上述の方法で孔を形成した不織ウェブを用いることで、魅力的かつ興味深い効果を提供できる。」との記載及び【００３７】の「両方の層２４、２５に孔がある場合、ベルトの開口した不織材層の視覚効果を増すことができる。」との記載は、内側層、外側層となる不織ウェブ層２４、２５の双方に孔（開口）を形成することができ、その場合には、視覚効果を増すことができる旨を意味するものであって、申立人の「「外側層」を「肌当接面側とは反対側」と同視すべき根拠は見出せない」との主張を裏付けるものではない。
　ゆえに、上記《相違点３》に関する申立人の主張は、当を得たものではなく、採用できない。
ｂ．《相違点４》について 
　甲１発明は、「筒状部２」が、「Ｙ方向に細長い中空の構造」のものであることにより、見た目が美しく、さらに、「第１シート３」が、「Ｘ方向及び該Ｘ方向に直交するＹ方向にそれぞれ、略均等な間隔を空けて間欠的に配されたパターンで開孔２２が形成され、おむつ１０Ｃの形成時には肌当接面側に配される」ものであることと相まって、通気性が高く、おむつの内部に湿気が溜まり難いという作用効果を奏し（上記ア．（サ）及び（ス）を参照。）、通気性の高いギャザーを形成すると共に、感触が柔らかく、見た目も美しい伸縮シート及びその伸縮シートを用いたパンツ型吸収性物品を提供するという課題（上記ア．（イ）を参照。）を解決するものであるから、甲１発明における「Ｙ方向に細長い中空の構造」である「筒状部２」をその途中で中断し、機械方向および横断方向に不連続である隆起を有するものとなるように、その構成を変更することには、阻害要因がある。
　そして、甲１発明における「筒状部２」をその途中で中断し、機械方向および横断方向に不連続である隆起を有するものとなるように、その構成を変更し得る旨は、甲１には、当然のことながら記載されておらず、これを示唆する記載もないし、甲２〜甲６にも記載されておらず、これを示唆する記載もない。
　したがって、甲１発明における「筒状部２」をその途中で中断し、機械方向および横断方向に不連続である隆起を有するものとなるように、その構成を変更し、《相違点４》に係る本件発明１の構成とすることは、当業者が容易になし得たこととはいえない。
　なお、上記《相違点４》に関し、申立人は、申立人意見書の５頁１行〜７頁１２行において、本件特許明細書には、「不連続である隆起」における「不連続」とは「通気性が阻害される」ような不連続性を意味すると理解できる根拠は見出せないから、上記《相違点４》は実質的な相違点とはならない旨及び「不連続である隆起」なる不明瞭な記載により、本件発明１〜６及び８〜１２に係る特許は特許法第３６条第６項第２号の規定に違反してなされたものである旨を主張している。
　しかしながら、仮に、本件発明１における「不連続である隆起」における「不連続」とは「通気性が阻害される」ような不連続性を意味すると理解できないものであるとしても、申立人は、本件発明１において、「皺が、機械方向および横断方向に不連続である隆起を有する」ことと、甲１発明において、「筒状部２」が、「Ｙ方向に細長い中空の構造」であることとは、技術的に同義であると解するべき具体的な理由を何ら説明していないし、技術的に同義であると解するべき証拠もないから、上記《相違点４》は実質的な相違点とはならないとの主張は当を得たものではない。
　そして、本件発明１における「不連続である隆起」とは、本件特許明細書の段落【００３６】の「・・・例えば、皺２７の整然とした機械方向の行かつ無秩序又はランダムな横断方向の列を提供するように、接着剤のパターンは選択できる。・・・図８Ｃで示す別の例では、接着剤沈着のパターンが、横断方向に沿って実質的に連続している（すなわち、弾性ストランド２６で若しくは他の箇所で、ほとんど又は全く中断していない）山２８及び谷２９を有する皺２７を生じるように構成されており、これは、横断方向に沿って層２４、２５の間に、接着剤の実質的に連続する、線形沈着のパターンにより達成できる。・・・」との記載及び【図４】、【図８Ａ】〜【図８Ｃ】に示されているものからみて、「接着剤沈着のパターンが、横断方向に沿って実質的に連続している（すなわち、弾性ストランド２６で若しくは他の箇所で、ほとんど又は全く中断していない）山２８及び谷２９を有する皺２７を生じるように構成され」たと説明されている【図８Ｃ】に示されたものに対して【図８Ａ】及び【図８Ｂ】に示されたものは、機械方向および横断方向に不連続である隆起２９を意味することが明らかであり、不明瞭な記載とはいえないから、本件発明１〜６及び８〜１２に係る特許は特許法第３６条第６項第２号の規定に違反してなされたものであるとの主張も当を得たものではない。
　したがって、上記《相違点４》に関する申立人の主張は採用できない。
　
（ウ）まとめ 
　以上のとおり、甲１発明の構成を、上記《相違点３》及び《相違点４》に係る本件発明１の構成に変更することは、当業者が容易になし得たこととはいえないから、上記《相違点１》及び《相違点２》について検討するまでもなく、本件発明１は、甲１発明及び甲１記載事項〜甲６記載事項に基いて、当業者が容易に発明をすることができたものであるとはいえない。
　
ウ．本件発明２〜６及び８〜１２について
　本件発明２〜６及び８〜１２は、本件発明１の発明特定事項の全てを含み、さらに、技術的な限定を加える事項を発明特定事項として備えるものであるから、上記本件発明１についての判断と同様の理由により、甲１発明及び甲１記載事項〜甲６記載事項に基いて、当業者が容易に発明をすることができたものであるとはいえない。
　
エ．小括
　したがって、本件発明１〜６及び８〜１２に係る特許は、特許法第２９条第２項の規定に違反してされたものではないから、同法第１１３条第２号の規定に該当することを理由に取り消されるべきものとすることはできない。
　
４．むすび
　以上のとおりであるから、本件発明１〜６及び８〜１２に係る特許は、取消理由通知に記載した取消理由によっては、取り消すことができず、また、他に本件発明１〜６及び８〜１２に係る特許を取り消すべき理由を発見しない。
　したがって、結論のとおり決定する。　
　
【異議決定日】
令和２年１月１４日（２０２０．１．１４）
【訂正の要旨】
審決（決定）の【理由】欄参照。
（５７）【特許請求の範囲】
　【請求項１】
　
吸収性物品のベルトであって、内側層と外側層とを含むベルトを形成する
　機械方向を有する第１の不織ウェブにより形成された第１層であって、該第１の不織ウェブが機械方向バイアスを有するポリマ繊維により形成されて、かつ貫通する第１の開口の第１のパターンを有している、第１層と、
　第２層と、
　前記第１層と前記第２層との間に配置されて、かつそれらの間に結合された１つ以上の弾性部材であって、該弾性部材が歪みを付与された状態で前記第１層と前記第２層との間に配置されて、それによって、少なくとも前記第１層に存在する前記積層体の厚さの方向に延伸する皺のパターンを形成する、弾性部材とを含み、
　前記第１層が、前記第２層に結合された前記弾性部材の少なくとも１つに前記第１層が結合された第１部分と、前記第１層が前記第２層に非接合若しくは非結合された第２部分と、を含み、
　前記１つ以上の弾性部材がエラストマ材のストランドを含み、
　前記第１層及び前記第２層が非弾性であり、
　前記第１の開口が、繊維の材料が熱的に溶融され又は変形されて、かつ絡み合わされた端部によって定められ
、
　
前記第１層が、前記ベルトの前記外側層を形成し、
　
前記皺が、機械方向および横断方向に不連続である隆起を有す
　【請求項２】
　前記第１の不織ウェブがその上に結合のパターンを有する、請求項１に記載の積層体構造。
　【請求項３】
　前記第１の開口の第１のパターンが、機械方向間隔、横断方向間隔、開口形状及び開口サイズの１つ以上において結合のパターンと実質的に類似している、請求項２に記載の積層体構造。
　【請求項４】
　前記第２層が第２の不織ウェブにより形成される、請求項１〜３のいずれか一項に記載の積層体構造。
　【請求項５】
　前記第１の開口の大部分が、最長寸法が機械方向に沿って配向される形状を定める、請求項１〜４のいずれか一項に記載の積層体構造。
　【請求項６】
　前記第１の開口が、棒状、円弧状、他の湾曲する有限軌道、円形、卵形、楕円形又は多角形、及びこれらの組み合わせからなる群から選択される形状を定める、請求項１〜５のいずれか一項に記載の積層体構造。
　【請求項７】
　前記第１層又は前記第２層のうちの一方が、前記第１層若しくは前記第２層の他方の第２の色と視覚的に対照をなす第１の色で、色合いをつけて、着色されて、又は印刷されている、請求項１〜６のいずれか一項に記載の積層体構造。
　【請求項８】
　前記第１の不織ウェブがポリオレフィンにより形成されたスパンボンド繊維を含む、請求項１〜７のいずれか一項に記載の積層体構造。
　【請求項９】
　前記第１層が、前記第１層と前記第２層の間に配置された接着剤のパターンにより前記第２層に結合される、請求項１〜８のいずれか一項に記載の積層体構造。
　【請求項１０】
　前記皺のパターンが山と谷とを有し、前記第１の開口の少なくともいくつかが該山に存在する、請求項１〜９のいずれか一項に記載の積層体構造。
　【請求項１１】
　パンツ又はおむつの形態の使い捨て吸収性物品であって、該物品が、前側腰部縁部で終わる前側腰部領域、後側腰部縁部で終わる後側腰部領域、横方向を定める腰部縁部を有しており、請求項１〜１０のいずれか一項に記載の前記積層体構造が、前記前側腰部領域および前記後側腰部領域を相互連結するパネルを形成する、使い捨て吸収性物品。
　【請求項１２】
　機械方向が横方向に実質的に平行である、請求項１１に記載の使い捨て吸収性物品。